【事件の表示】
　特願２００８−５５３３０６「ＪＡＫ−２調節因子としての４−アリール−２−アミノ−ピリミジン類又は４−アリール−２−アミノアルキル−ピリミジン類と使用方法」拒絶査定不服審判事件〔平成１９年　８月　９日国際公開、ＷＯ２００７／０８９７６８、平成２１年７月９日国内公表、特表２００９−５２５３３７〕について、次のとおり審決する。
【結　論】
　本件審判の請求は、成り立たない。
【理　由】
第１　手続の経緯
　本願は，２００７年１月３０日（パリ条約による優先権主張　外国庁受理２００６年１月３０日　同年３月２３日　同年８月２５日　いずれも米国（ＵＳ））を国際出願日とする出願であって，平成２４年１０月２日付けで拒絶理由が通知され，平成２５年４月９日に意見書及び手続補正書が提出されたところ，同年１０月１７日付けで拒絶査定がされ，平成２６年２月２４日に拒絶査定不服審判が請求されるとともに手続補正書が提出され，前置審査において同年４月１８日付けで拒絶理由が通知されたが，その指定期間内に意見書の提出がなされなかったものである。
　
第２　前置審査における拒絶の理由の概要
　前置審査において，平成２６年４月１８日付けで審査官が通知した拒絶の理由は以下の理由を含むものである。
［理由１］平成２６年２月２４日付けでした手続補正は，国際出願日における国際特許出願の明細書若しくは図面（図面の中の説明に限る。）の翻訳文，国際出願日における国際特許出願の請求の範囲の翻訳文（特許協力条約第１９条（１）の規定に基づく補正後の請求の範囲の翻訳文が提出された場合にあっては，当該翻訳文）又は国際出願日における国際特許出願の図面（図面の中の説明を除く。）（以下，翻訳文等という。）（誤訳訂正書を提出して明細書，特許請求の範囲又は図面について補正をした場合にあっては，翻訳文等又は当該補正後の明細書，特許請求の範囲若しくは図面）に記載した事項の範囲内においてしたものでないから，特許法第１７条の２第３項に規定する要件を満たしていない（同法第１８４条の１２第２項参照）。
［理由２］この出願は，特許請求の範囲の記載が下記の点で，特許法第３６条第６項第２号に規定する要件を満たしていない。
  
　そして，理由１の備考として，
「上記手続補正は、請求項１に記載される式（Ｉ）で表される化合物の置換基について、例えば「ヒドロキシアルキル」を「ヒドロキシ、アルキル」と分離する等複数箇所を補正ものである。
　しかし、当該翻訳文等には、分離した各置換基を採り得ることについては記載されておらず、また誤記であるとする根拠も見いだせない。そして、この点は当業者にとって自明であるとはいえない。
　そうすると、当該手続補正は翻訳文等に記載した事項の範囲内においてしたものとは認められず、特許法第１７条の２第３項に規定する要件を満たしていない。」との指摘がなされている。
　また，理由２の備考として，
「請求項１には、式Ｉの化合物についてＲ１２ａが定義されているが、何れの置換基にもＲ１２ａは使用されていないから、いかなる特定を意図するものかが不明確である。」との指摘と，
「請求項１には、式Ｉの化合物についてＲ２６ａが−Ｓ(Ｏ)２Ｒ９及び−ＳＲ９を採り得ることが記載されているが、同項にはＲ９が定義されていないから、式Ｉの化合物の範囲が不明確となっている。」との指摘がなされている。
第３　当審の判断
１　平成２６年２月２４日付けの手続補正について
　平成２６年２月２４日付けの手続補正は，特許請求の範囲の請求項１を以下のとおり補正する補正を含むものである。
「式Ｉ：
[上式中、
　Ｄは水素、ハロ、-ＣＦ３、ヘテロシクロアルキル又はアルキルであり；
　Ｅは水素、ハロ、-ＣＦ３、ヘテロシクロアルキル又はアルキルであり；
　Ｌは結合であり；
　Ｚは
であり；
　Ｒ２５は、アルキル、アルケニル、低級アルキル、ハロ、ハロアルキル、ハロアルコキシ、アミノ、アルキルアミノ、ジアルキルアミノ、アミノアルキル、アルキルアミノアルキル、-ＯＲ１２、シアノ、-ＣＨ２ＮＨＣ(Ｏ)ＯＲ７、-ＣＨ２ＮＨＣ(Ｏ)Ｒ７、-ＳＲ７、-Ｓ(Ｏ)２Ｒ７、-Ｓ(Ｏ)２ＮＲ７Ｒ８、-Ｃ(Ｏ)ＯＲ８、シクロアルキル、ヘテロシクロアルキル、アリール及びヘテロアリールから選択され；シクロアルキル、ヘテロシクロアルキル、アリール及びヘテロアリールはそれぞれ、アルキル、アルケニル、ハロ、ハロアルコキシ、ハロアルキル、アミノ、アルキルアミノ、ジアルキルアミノ、アミノアルキル、アルキルアミノアルキル、-ＯＲ８、-ＮＨＳ(Ｏ)２Ｒ８、シアノ、-Ｃ(Ｏ)Ｒ８、-ＣＨ２ＮＨＣ(Ｏ)ＯＲ７、-ＣＨ２ＮＨＣ(Ｏ)Ｒ７、-ＳＲ７、-Ｓ(Ｏ)２Ｒ７、-Ｓ(Ｏ)２ＮＲ７Ｒ８、-Ｃ(Ｏ)ＯＲ８、-Ｃ(Ｏ)ＮＲ７Ｒ８、及び-ＮＲ７Ｃ(Ｏ)Ｒ８から独立して選択される１、２又は３の基で置換されていてもよく；又は
　ｎ１は０、１、２、３、又は４であり、各ｎ１は、一を越えるｎ１が存在する場合は独立して選択され；
　ｎ２は０、１、２、３、又は４であり、各ｎ２は、一を越えるｎ２が存在する場合は独立して選択され；
　ｎ４は０、１、２、３、又は４であり；
　ｐは０-３であり；
　ｒは１-３であり；
　Ｒ１は水素であり；
　Ｒ２は次の基：
又は
であり；
　Ｒ７、Ｒ７'、Ｒ１２及びＲ１５はそれぞれ独立して水素、アルキル、アルコキシ、又はアルコキシアルキルであり；
　Ｒ８は、水素、ヒドロキシ、アルキル、アルケニル、低級アルキニル、ヒドロキシルアミノ、ヒドロキシアルキル、アルコキシアルキル、ジヒドロキシアルキル、アルキルアミノ、ジアルキルアミノ、アミノアルキル、アミノカルボニルアルキル、アルキルアミノカルボニルアルキル、ジアルキルアミノカルボニルアルキル、アルキルアミノアルキル、ジアルキルアミノアルキル、-(ＣＨ２)ｒ-Ｃ(Ｏ)ＯＲ７、-(ＣＨ２)ｒ-Ｃ(Ｏ)ＮＲ７Ｒ７'、アリール、ヘテロアリール、シクロアルキル、アリールアルキル、アリールオキシアルキル、ヘテロアリールアルキル、シクロアルキルアルキル、ヘテロシクロアルキル、及びヘテロシクロアルキルアルキルから選択され；アリール、ヘテロアリール、シクロアルキル、アリールアルキル、アリールオキシアルキル、ヘテロアリールアルキル、シクロアルキルアルキル、ヘテロシクロアルキル、及びヘテロシクロアルキルアルキルは、それぞれ独立して、アルキル、アルケニル、低級アルキニル、ハロ、ヒドロキシ、ハロアルキル、ハロアルコキシ、低級アルコキシ、アミノ、アリールアルキルアミノ、ジアルキルアミノ、ヘテロシクリルアルコキシ、オキソ及びハロアルキルから独立して選択される１、２、３、４又は５の基で環位が置換されていてもよく；
　各Ｒ１１は、Ｒ１１が存在する場合、独立して、アルキル、アルケニル、低級アルキニル、-ＣＦ３、アルコキシ、ハロ、ハロアルコキシ、ハロアルキル、アミノアルキル、アミノアルコキシ、アルキルアミノアルキル、アルキルアミノアルコキシ、ジアルキルアミノアルキル、ジアルキルアミノアルコキシ、オキソ、チオアルキル、アルキルチオアルキル、-(ＣＨ２)ｐ-ＯＲ１７、-ＣＮ、-Ｏ-ＣＨ２-Ｃ(Ｏ)-Ｒ１７、-Ｃ(Ｏ)Ｒ１６、-(ＣＨ２)ｐ-Ｃ(Ｏ)ＯＲ１７、-Ｓ(Ｏ)２Ｒ１７、-Ｓ(Ｏ)２ＮＲ１５Ｒ１７、アリール、ヘテロアリール、シクロアルキル、アリールアルキル、アリールアルコキシ、ヘテロアリールアルキル、シクロアルキルアルキル、ヘテロシクロアルキル、及びヘテロシクロアルキルアルキルから選択され；アリール、ヘテロアリール、シクロアルキル、アリールアルキル、ヘテロアリールアルキル、シクロアルキルアルキル、ヘテロシクロアルキル、及びヘテロシクロアルキルアルキルはそれぞれ独立して１、２、３又は４のＲ２１で任意の環位が置換されていてもよく；
　Ｒ１２ａは水素又はアルキルであり；
　Ｒ１３は、水素、ヒドロキシ、アルキル、アルケニル、低級アルキニル、ヒドロキシｌアミノ、ハロアルキル、ハロ及びヒドロキシで置換されたアルキル、ヒドロキシアルキル、アルコキシアルキル、アミノカルボニルアルキル、アルキルアミノカルボニルアルキル、ジアルキルアミノカルボニルアルキル、-(ＣＨ２)ｒ-Ｃ(Ｏ)ＯＲ７、-(ＣＨ２)ｒ-Ｃ(Ｏ)ＮＲ７Ｒ７'、アリール、ヘテロアリール、シクロアルキル、アリールアルキル、ジアリールアルキル、アリールオキシアルキル、ヘテロアリールアルキル、シクロアルキルアルキル、ヘテロシクロアルキル、及びヘテロシクロアルキルアルキルから選択され；アリール、ヘテロアリール、シクロアルキル、アリールアルキル、ジアリールアルキル、アリールオキシアルキル、ヘテロアリールアルキル、シクロアルキルアルキル、ヘテロシクロアルキル、及びヘテロシクロアルキルアルキルは、それぞれ独立して、アルキル、アルケニル、低級アルキニル、ハロ、ヒドロキシ、ヒドロキシアルキル、アルコキシカルボニル、アルキルカルボニル、ハロアルキル、ハロアルコキシ、低級アルコキシ、アミノ、アリールアルキルアミノ、ジアルキルアミノ、ヘテロシクリルアルコキシ、オキソ及びハロアルキルから独立して選択される１、２、３、４又は５の基で環位が置換されていてもよく；シクロアルキルアルキル、ヘテロシクロアルキルアルキル、アリールアルキル、及びヘテロアリールアルキルのアルキルは独立してハロ及びヒドロキシから選択される１、２、３、４又は５の基で置換されていてもよく；
　Ｒ１６は、水素、ヒドロキシ、アルキル、アルケニル、低級アルキニル、ヒドロキシアミノ、ハロアルキル、ハロ及びヒドロキシで置換されたアルキル、ヒドロキシアルキル、アルコキシアルキルアミノカルボニルアルキル、アルキルアミノカルボニルアルキル、ジアルキルアミノカルボニルアルキル、ジアルキルアミノアルキル、-(ＣＨ２)ｒ-Ｃ(Ｏ)ＯＲ７、アリール、ヘテロアリール、シクロアルキル、アリールアルキル、ジアリールアルキル、アリールオキシアルキル、ヘテロアリールアルキル、シクロアルキルアルキル、ヘテロシクロアルキル、及びヘテロシクロアルキルアルキルから選択され；アリール、ヘテロアリール、シクロアルキル、アリールアルキル、ジアリールアルキル、アリールオキシアルキル、ヘテロアリールアルキル、シクロアルキルアルキル、ヘテロシクロアルキル、及びヘテロシクロアルキルアルキルはそれぞれ独立して、アルキル、アルケニル、低級アルキニル、ハロ、ヒドロキシ、ヒドロキシアルキル、アルコキシカルボニル、アルキルカルボニル、ハロアルキル、ハロアルコキシ、低級アルコキシ、アミノ、アリールアルキルアミノ、ジアルキルアミノ、ヘテロシクリルアルコキシ、オキソ及びハロアルキルから独立して選択される１、２、３、４又は５の基で環位が置換されていてもよく；シクロアルキルアルキル、ヘテロシクロアルキルアルキル、アリールアルキル、及びヘテロアリールアルキルのアルキルは、ハロ及びヒドロキシから選択される１、２、３、４又は５の基で置換されていてもよく；
　Ｒ１７は、水素、ヒドロキシ、アルキル、アルケニル、低級アルキニル、ヒドロキシアミノ、ハロアルキル、ハロ及びヒドロキシで置換されたアルキル、ヒドロキシアルキル、アルコキシアルキル、アミノカルボニルアルキル、アルキルアミノカルボニルアルキル、ジアルキルアミノカルボニルアルキル、ジアルキルアミノアルキル、-(ＣＨ２)ｒ-Ｃ(Ｏ)ＯＲ７、-(ＣＨ２)ｒ-Ｃ(Ｏ)ＮＲ７Ｒ７'、アリール、ヘテロアリール、シクロアルキル、アリールアルキル、ジアリールアルキル、アリールオキシアルキル、ヘテロアリールアルキル、シクロアルキルアルキル、ヘテロシクロアルキル、及びヘテロシクロアルキルアルキルから選択され；アリール、ヘテロアリール、シクロアルキル、アリールアルキル、ジアリールアルキル、アリールオキシアルキル、ヘテロアリールアルキル、シクロアルキルアルキル、ヘテロシクロアルキル、及びヘテロシクロアルキルアルキルは、それぞれ独立して、アルキル、アルケニル、低級アルキニル、ハロ、ヒドロキシ、ヒドロキシアルキル、アルコキシカルボニル、アルキルカルボニル、ハロアルキル、ハロアルコキシ、低級アルコキシ、アミノ、アリール、アルキルアミノ、ジアルキルアミノ、ヘテロシクリルアルコキシ、オキソ及びハロアルキルから独立して選択される１、２、３、４又は５の基で環位が置換されていてもよく；シクロアルキルアルキル、ヘテロシクロアルキルアルキル、アリールアルキル、及びヘテロアリールアルキルのアルキルは、ハロ及びヒドロキシから選択される１、２、３、４又は５の基で置換されていてもよく；
　各Ｒ２１は、Ｒ２１が存在する場合、独立して、アルキル、アルケニル、低級アルキニル、シアノ、ハロ、ハロアルコキシ、ハロアルキル、ヒドロキシアルキル、アミノ、アルキルアミノ、ジアルキルアミノ、ジアルキルアミノアルキル、ジアルキルアミノアルキルオキシ、ハロアルキル、オキソ、-ＯＲ１３、-ＮＨＳ(Ｏ)２Ｒ１７、-Ｓ(Ｏ)２Ｒ１７、-Ｃ(Ｏ)Ｒ１７、-Ｃ(Ｏ)ＯＲ１７、-Ｃ(Ｏ)ＮＲ１５Ｒ１７、-ＮＲ１５Ｃ(Ｏ)Ｒ１７、アリール、アリールアルキル、ヘテロアリールアルキル、アリールオキシ、及びヘテロアリールから選択され；Ｒ２１内のアリール、アリールアルキル、ヘテロアリールアルキル、アリールオキシ、及びヘテロアリールのそれぞれは、アルキル、低級アルコキシハロ、フェニル、ヘテロアリール及びアルキルヘテロアルキルから選択される１、２、又は３の基で任意の環位が置換されていてもよく；
　Ｒ２６は、水素、-Ｃ(Ｏ)-フェニル又はアルキルであり、-Ｃ(Ｏ)-フェニルは１、２又
は３のハロで任意の環位が置換されていてもよく；
　Ｒ２６ａは、水素、アルキル、ヘテロアリール、-Ｃ(Ｏ)Ｒ３２、-Ｃ(Ｏ)ＮＨＲ３２ａ、-Ｓ(Ｏ)２Ｒ９、-ＳＲ９、-Ｃ(Ｏ)ＯＲ３２、又は-Ｃ(Ｏ)ＮＲ３２ａＲ３２であり；
　Ｒ２８はアルキル、アルケニル、ヒドロキシ、アルコキシ、及びアルコキシアルキルから独立して選択され；
　Ｒ２８ａは、水素、アルキル、アルケニル、アルコキシアルキル、アルコキシカルボニルアルキル、ヒドロキシアルキル、アリール、アリールアルキル、シクロアルキル、シクロアルキルアルキル、ジアルキルアミノアルキル、アリールカルボニルアルキル、アリールオキシアルキル、アルキル-Ｏ-Ｃ(Ｏ)ヘテロシクロアルキル、-(ＣＨ２)ｎ４ヘテロシクロアルキル、ヘテロシクロアルキルアルキル、ヘテロアリール、ヘテロアリールアルキル、-(ＣＨ２)ｎ４-Ｃ(Ｏ)Ｒ２９、-ＣＨ(フェニル)２、-Ｓ(Ｏ)２Ｒ２９、-Ｃ(Ｏ)Ｒ２９、-Ｃ(Ｏ)ＯＲ２９、及び-Ｃ(Ｏ)ＮＲ２９ａＲ２９から独立して選択され、Ｒ２８ａ内のアリール、アリールアルキル、シクロアルキル、シクロアルキルアルキル、ヘテロアリール、ヘテロアリールアルキル、ヘテロシクロアルキル、及びヘテロシクロアルキルアルキル基は、それぞれ独立して、ハロ、アルキル、アルコキシ、アルキルカルボニル、フェニル、フェノキシ、アリールカルボニル、-ＣＦ３、オキソ、-ＯＣＦ３、アルコキシフェニル、及びアルキル又はハロで置換されていてもよいヘテロアリールから選択される１、２、３、４、又は５の基で任意の環位が置換されていてもよく；
　あるいは、Ｒ２８及びＲ２８ａは、それらが結合している窒素と共に、ヘテロシクロアルキル又はヘテロアリールを形成し、ヘテロシクロアルキル及びヘテロアリールはそれぞれ１、２、３、４、又は５のＲ３１で置換されていてもよく；
　Ｒ２９ａは水素又はアルキルであり；
　Ｒ２９は、アルキル、アリール、アリールアルキル、シクロアルキル、シクロアルキルアルキル、ヘテロアリール、ヘテロアリールアルキル、ヘテロシクロアルキル、及びヘテロシクロアルキルアルキルから選択され；Ｒ２９内のアリール、アリールアルキル、シクロアルキル、シクロアルキルアルキル、ヘテロアリール、ヘテロアリールアルキル、ヘテロシクロアルキル、及びヘテロシクロアルキルアルキル基はそれぞれ、ハロ、アルキル、アルコキシ、アルキルカルボニル、フェニル、フェノキシ、アリールカルボニル、-ＣＦ３、オキソ、-ＯＣＦ３、アルコキシフェニル、及びアルキル又はハロで置換されていてもよいヘテロアリールから選択される１、２、３、４、又は５の基で任意の環位が置換されていてもよく；
　Ｒ３０ａは水素又はアルキルであり；
　Ｒ３０は、水素、アルキル、ヒドロキシアルキル、アルコキシアルキル、アルコキシアルコキシアルキル、アルコキシカルボニルアルキル、アミノ、アルキルアミノ、ジアルキルアミノ、アミノアルキル、アルキルアミノアルキル、ジアルキルアミノアルキル、アリール、アリールアルキル、フェノキシアルキル、シクロアルキル、シクロアルキルアルキル、ヘテロアリール、ヘテロアリールアルキル、アリールヘテロアリールアルキル、ヘテロシクロアルキル、及びヘテロシクロアルキルアルキルから選択され；Ｒ３０内のアリール、アリールアルキル、フェノキシアルキル、シクロアルキル、アリールヘテロアリールアルキル、シクロアルキルアルキル、ヘテロアリール、ヘテロアリールアルキル、ヘテロシクロアルキル、及びヘテロシクロアルキルアルキル基はそれぞれ独立して、ハロ、アルキル、アルコキシ、アルコキシアルキル、-Ｃ(Ｏ)ＯＣＨ３、-ＣＦ３、-ＯＣＦ３、アルキルカルボニル、フェニル、フェノキシ、アルキルフェノキシ、ジアルキルアミノアルコキシ及びヘテロアリールから選択される１、２、３、４、又は５の基で任意の環位が置換されていてもよく；
　Ｒ３１は、アルキル、ヒドロキシアルキル、アルコキシ、アルコキシアルキル、アルキルチオアルキル、-Ｃ(Ｏ)Ｒ３０、-Ｃ(Ｏ)ＮＲ３０Ｒ３０ａ、-Ｃ(Ｏ)ＯＲ３０、-Ｓ(Ｏ)２Ｒ３０、アミノ、ジヒドロキシアルキル、アリールカルボニル、アルキルカルボニルアミノ、アルコキシフェニル、フェニルアルコキシアルキル、アリールヘテロアリールアルキル、アルキルアミノ、-Ｏ-ジアルキルアミノ、ジアルキルアミノ、アミノアルキル、アルキルアミノアルキル、ジアルキルアミノアルキル、ジアルキルアミノアルコキシ、オキソ、アリール、アリールアルキル、シクロアルキル、シクロアルキルアルキル、ヘテロアリール、ヘテロアリールアルキル、ヘテロシクロアルキル、スピロ環シクロアルキル、スピロ環ヘテロシクロアルキル、及びヘテロシクロアルキルアルキルから選択され、Ｒ３１内のアリール、アリールアルキル、シクロアルキル、アリールヘテロアリールアルキル、アリールアルコキシアルキル、シクロアルキルアルキル、ヘテロアリール、ヘテロアリールアルキル、ヘテロシクロアルキル、及びヘテロシクロアルキルアルキル基はそれぞれ独立して、ハロ、アルキル、-ＣＦ３、-ＯＣＦ３、シアノ、アルコキシ、アルコキシアルキル、-Ｃ(Ｏ)ＯＣＨ３、アルキルカルボニル、任意の環位がハロで置換されていてもよいフェニル、フェノキシ、アルキルフェノキシ、アリールアルコキシアルキル、ジアルキルアミノアルコキシ及びヘテロアリールから選択される１、２、３、４、又は５の基で任意の環位が置換されていてもよく；
　Ｒ３２ａが水素、-ＯＣＦ３、-ＣＦ３、又はアルキルであり；
　Ｒ３２が、アリール、アリールアルキル、アリールアルコキシ、アリールシクロアルキル、アルコキシカルボニルアルコキシ、シクロアルキル、シクロアルキルアルキル、シクロアルキルヒドロキシアルキル、ヘテロアリール、ヘテロアリールアルキル、ヘテロシクロアルキル、及びヘテロシクロアルキルアルキルから選択され、アリール、アリールアルキル、シクロアルキル、アリールシクロアルキル、シクロアルキルアルキル、ヘテロアリール、ヘテロアリールアルキル、ヘテロシクロアルキル、及びヘテロシクロアルキルアルキルはそれぞれ独立して、ヒドロキシ、オキソ、アルキル、アルコキシ、アミノ、ヒドロキシアルキル、アルキルカルボニル、アルコキシカルボニル、ハロ、-ＣＦ３、-ＯＣＦ３、アミノアルキル、アルキルアミノアルキル、アリール及びジアルキルアミノアルキルから選択される１、２、３、４、又は５の基で任意の環位が置換されていてもよく、ヘテロアリールアルキルのアルキル部分はアミノで置換可能であり；
　あるいは、Ｒ３２は、ヒドロキシ、アルコキシカルボニル、アルコキシ、-ＣＦ３、ハロ、アミノカルボニル、アルキルアミノカルボニル、アルコキシカルボニルアルキルアミノ、ジアルキルアミノカルボニル、-ＮＲ３４Ｒ３４ａ及び１、２、又は３のハロで置換されていてもよいフェニルから独立して選択される１、２、３、４、又は５の基で置換されていてもよいアルキルであり；
　あるいは、Ｒ３２はアルキルアミノ又はアリールアルキルアミノであり；
　Ｒ３４は水素又はアルキルであり；
　Ｒ３４ａは、水素、アルキル、ヘテロアリール、アリール、アミノアルキルアミノカルボニルアルキル、ヘテロアリールアルキル、アリールアルコキシ及びアリールアルキルオキシカルボニルアルキルから選択され；ヘテロアリール、アリール、ヘテロアリールアルキル、アリールアルコキシ又はアリールアルキルオキシカルボニルアルキルはそれぞれ独立して、ヒドロキシ、オキソ、アルキル、アミノ、ヒドロキシアルキル、アルキルカルボニル、アルコキシカルボニル、ハロ、アミノアルキル、アルキルアミノアルキル、及びジアルキルアミノアルキルから選択される１、２、３、４、又は５の基で任意の環位が置換されていてもよい。]の化合物又はその薬学的に許容可能な塩。」
２　理由１について
　前置審査での拒絶理由のうち，理由１について検討する。
　国際出願日における国際特許出願の明細書若しくは図面，請求の範囲の翻訳文等には，
　平成２６年２月２４日付けの手続補正で補正された請求項１と同様に，
「式Ｉ」の構造式が記載され，その「Ｒ２５」として，「Ｓ(Ｏ)２ＮＲ７Ｒ８、-Ｃ(Ｏ)ＯＲ８」及び「シクロアルキル」などの置換基として，「-ＯＲ８、-ＮＨＳ(Ｏ)２Ｒ８、・・・-Ｃ(Ｏ)Ｒ８、・・・-Ｓ(Ｏ)２ＮＲ７Ｒ８、-Ｃ(Ｏ)ＯＲ８、-Ｃ(Ｏ)ＮＲ７Ｒ８、及び-ＮＲ７Ｃ(Ｏ)Ｒ８ 」が記載されているが，その「Ｒ８」については，「水素、ヒドロキシアルキル、アルケニル、低級アルキニル、ヒドロキシルアミノ、ヒドロキシアルキル、アルコキシアルキル、ジヒドロキシアルキル、アルキルアミノ、ジアルキルアミノ、アミノアルキルアミノカルボニルアルキル、アルキルアミノカルボニルアルキル、ジアルキルアミノカルボニルアルキル、アルキルアミノアルキル、ジアルキルアミノアルキル、-(ＣＨ２)ｒ-Ｃ(Ｏ)ＯＲ７、-(ＣＨ２)ｒ-Ｃ(Ｏ)ＮＲ７Ｒ７'、アリール、ヘテロアリール、シクロアルキル、アリールアルキル、アリールオキシアルキル、ヘテロアリールアルキル、シクロアルキルアルキル、ヘテロシクロアルキル、及びヘテロシクロアルキルアルキルから選択され；アリール、ヘテロアリール、シクロアルキル、アリールアルキル、アリールオキシアルキル、ヘテロアリールアルキル、シクロアルキルアルキル、ヘテロシクロアルキル、及びヘテロシクロアルキルアルキルは、それぞれ独立して、アルキル、アルケニル、低級アルキニル、ハロ、ヒドロキシ、ハロアルキル、ハロアルコキシ、低級アルコキシ、アミノ、アリールアルキルアミノ、ジアルキルアミノ、ヘテロシクリルアルコキシ、オキソ及びハロアルキルから独立して選択される１、２、３、４又は５の基で環位が置換されていてもよく」と記載されており，補正後の「ヒドロキシ」がその選択肢であることについては記載されていない。
　また，翻訳文等の発明の詳細な説明にも，「Ｒ８」については，上記請求項１と同じように記載されており，「ヒドロキシ」がその選択肢であることについては記載されていない。
　さらに，翻訳文等の請求の範囲の請求項４５に記載された化合物にも，発明の詳細な説明の中に記載された化合物１〜８９１にも，上記式Ｉにおいて，「Ｒ８」が「ヒドロキシ」である化合物は記載されていない。
　
　そうすると，平成２６年２月２４日付けの手続補正は，国際出願日における国際特許出願の明細書若しくは図面，請求の範囲の翻訳文等に記載した事項の範囲内でしたものであるということはできない。
　よって，平成２６年２月２４日付けの手続補正は特許法第１７条の２第３項に規定する要件を満たしていない。
３　理由２について
　前置審査での拒絶理由のうち，理由２について検討する。
（１）式Ｉの化合物の「Ｒ１２ａ」について
　特許請求の範囲の請求項１は，上記１に示したとおりであって，「式Ｉ」において，「Ｒ１２ａは水素又はアルキルであり」と定義されているが，「式Ｉ」の構造を定義する置換基には何れの置換基にも「Ｒ１２ａ」は使用されていないから，「Ｒ１２ａ」に関する定義が，「式Ｉ」で示される化合物において，何を特定するものかが不明確である。
（２）式Ｉの化合物の「Ｒ９」について
　特許請求の範囲の請求項１は，上記１に示したとおりであって，「式Ｉ」において，置換基「Ｚ」のて「Ｒ２６ａ」が「−Ｓ(Ｏ)２Ｒ９及び−ＳＲ９」を選択肢とすることが記載されているが，請求項１には，「Ｒ９」が何であるか定義されていないから，式Ｉの化合物の範囲が不明確である。
（３）まとめ
　上記（１），（２）で述べたとおり，特許請求の範囲の特許を受けようとする発明が明確であるとはいえないから，本願の特許請求の範囲の記載は特許法第３６条第６項第２号に適合するものではなく，本願は同法第３６条第６項に規定する要件を満たさない。
第４　むすび
　以上のとおりであるから，本願の願書に添付した明細書，特許請求の範囲又は図面についてした補正が特許法第１７条の２第３項に規定する要件を満たしていないし，さらに，本願は，特許法第３６条第６項に規定する要件を満たしていないので，本願は拒絶されるべきものである。
　よって，結論のとおり審決する。